(57)【要約】【課題】通信システムにおいて、待ち受け中の移動局装置の有無を効率的に把握する。【解決手段】基地局装置は、自局のトラッキングエリア内に待ち受け中の移動局装置が存在する可能性がある場合に、報知情報のパラメータ変更を利用して移動局装置にランダムアクセスを要求し、アクセスの有無に基づいて待ち受け中の移動局装置の有無を把握する。【選択図】図８
2011171971.tif 000002
【特許請求の範囲】
【請求項１】
基地局装置を制御するアクセスゲートウェイであって、
省電力モード移行に関する信号を生成する信号処理部と、
前記省電力モード移行に関する信号を前記基地局装置に対して送信するネットワークインターフェースと、を具備し、
前記省電力モード移行に関する信号は、省電力モードへの移行指示、または移動局装置にランダムアクセス手順を実行させる信号の報知指示の何れかを選択することを特徴とするアクセスゲートウェイ。
【請求項２】
アクセスゲートウェイに制御される基地局装置であって、
前記アクセスゲートウェイから移動局装置にランダムアクセス手順を実行させる信号の報知指示を受信した場合に、移動局装置に対してランダムアクセス手順を実行させる報知信号を生成する送信信号処理部と、
前記報知信号を送信する送信部と、
前記移動局装置からのランダムアクセス手順を管理するランダムアクセス処理部と、を具備し、
前記報知信号に対してランダムアクセス手順を実行する移動局装置が存在しない場合に省電力モードに移行することを特徴とする基地局装置。
【請求項３】
請求項２記載の基地局装置と通信する移動局装置であって、
前記ランダムアクセス手順を実行させる報知信号を受信した場合に、ランダムアクセス手順を実行することを特徴とする移動局装置。
【請求項４】
請求項１記載のアクセスゲートウェイと、請求項２記載の基地局装置と、請求項３記載の移動局装置と、を備えることを特徴とする無線通信システム
【請求項５】
基地局装置を制御するアクセスゲートウェイであって、
省電力モード移行に関する信号を生成する信号処理部と、
前記省電力モード移行に関する信号を前記基地局装置に対して送信するネットワークインターフェースと、を具備し、
前記省電力モード移行に関する信号は、省電力モードへの移行指示、またはトラッキングエリアの識別子を第１の識別子から第２の識別子へ変更する指示、
の何れかを選択することを特徴とするアクセスゲートウェイ。
【請求項６】
前記第２の識別子は隣接するセルの識別と異なることを特徴とする請求項５記載のアクセスゲートウェイ。
【請求項７】
前記基地局装置のトラッキングエリアの識別子を前記第２の識別子に変更し、既定時間経過以降に前記第２の識別子に登録されている移動局装置が存在しない場合に、前記基地局装置に省電力モード移行指示を通知することを特徴とする請求項５または請求項６記載のアクセスゲートウェイ。
【請求項８】
省電力モード移行後に第２の識別子から第１の識別子に戻すことを特徴とする請求項５乃至請求項７記載のアクセスゲートウェイ。
【請求項９】
アクセスゲートウェイと基地局装置を含む無線通信システムの通信方法であって、
前記基地局装置において、前記アクセスゲートウェイから移動局装置にランダムアクセス手順を実行させる信号の報知指示を受信した場合に、移動局装置に対してランダムアクセス手順を実行させる報知信号を生成するステップと、
前記報知信号を送信するステップと、
前記報知信号に対してランダムアクセス手順を実行する移動局装置が存在しない場合に省電力モードに移行するステップと、を少なくとも含むことを特徴とする通信方法。
【請求項１０】
アクセスゲートウェイと基地局装置を含む無線通信システムの通信方法であって、
前記アクセスゲートウェイにおいて、省電力モード移行に関する信号を生成するステップと、
前記省電力モード移行に関する信号を前記基地局装置に対して送信するステップと、
前記省電力モード移行に関する信号として、省電力モードへの移行指示、またはトラッキングエリアの識別子を第１の識別子から第２の識別子へ変更する指示、の何れかを選択するステップと、を少なくとも含むことを特徴とする通信方法。
【発明の詳細な説明】
【技術分野】
【０００１】
本発明は、無線通信システム、基地局装置、移動局装置および通信方法に関し、特に、基地局装置の省電力化に関する。
【背景技術】
【０００２】
３ＧＰＰ（3rd Generation Partnership Project：第３世代パートナーシッププロジェクト）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）、更にその発展形であるＡｄｖａｎｃｅｄ  ＥＵＴＲＡ（LTE-Advancedとも呼ばれる）（以降A-EUTRAと称する）の検討が進められている（非特許文献１）。
【０００３】
図１０は、ＥＵＴＲＡにおける下りリンクの無線フレームの構成の一例を示す図である。図１０では、無線フレームを、横軸に時間軸をとり、縦軸に周波数軸をとって示している。無線フレームは、周波数軸を１２サブキャリア（sc）、時間軸を複数のＯＦＤＭシンボルの集合であるスロットを一単位として構成され、１２サブキャリアと１スロット長で区切られた領域をリソースブロックと呼ぶ。２つのスロットをまとめたものをサブフレームと呼び、更に１０個のサブフレームをまとめたものをフレームと呼ぶ。周波数方向には複数のリソースブロックが連続して配置され、ＢＷ＝２０ＭＨｚ帯域幅では１００リソースブロックが配置される。その両端には隣接する帯域への輻射を防止するために信号が送信されないガードバンドが配置される。
【０００４】
図１０において凡例で示す通り、＃０、＃５サブフレームには、基地局が構成するセルと前記セルのエリア内に存在する移動局との同期に用いられるプライマリ同期チャネル（P-SCH）、セカンダリ同期チャネル（S-SCH）、およびプライマリ報知情報チャネル（P-BCH）が含まれる。移動局装置は、Ｐ−ＳＣＨとＳ−ＳＣＨを用いてフレーム同期を確立すると共に、前記基地局が構成するセルを識別するための物理セルＩＤ（PCI：Physical Cell Identification）を特定する。また移動局装置は、Ｐ−ＢＣＨに含まれる報知情報（MIB: Master Information Block）を復調することで送信アンテナポート数などの主要なパラメータを取得し、その他の報知情報を下りデータチャネル（PDSCH）で通知される動的報知情報チャネル（D-BCH）から取得する。Ｄ−ＢＣＨに含まれる報知情報は、情報の種類により複数のブロックに分けられ、それぞれＳＩＢ（System Information Block）と呼ばれる単位で、個別の周期で報知される。
【０００５】
さらに、各サブフレームの先頭には可変長（１〜４OFDMシンボル）の下り共用制御チャネル（PDCCH）が含まれる。ＰＤＣＣＨに使われるＯＦＤＭシンボル数は各サブフレーム先頭に配置されるＰＣＦＩＣＨと呼ばれる信号で判断する。更に、図示していないが、各リソースブロックには復調および受信品質測定に必要な下りリンク参照信号（DL-RS: Downlink Reference Signal）が含まれる。移動局装置は参照信号を用いて受信品質の測定や、ＰＤＣＣＨの伝播路補償を行ない、ＰＤＣＣＨに自局宛のデータ割り当てがあった場合、ＰＤＣＣＨ以降のＯＦＤＭシンボルに含まれるＰＤＳＣＨを復調し、自局宛のデータを取得する。
【０００６】
また、ＥＵＴＲＡでは、待ち受け中（アイドルモード）のユーザ装置の位置は、トラッキングエリア（Tracking Area）という単位で通信システムのネットワーク上のノードによって記憶・管理される。トラッキングエリアとは、ＵＭＴＳにおけるロケーションエリア（LA: Location Area）又はルーティングエリア（RA: Routing Area）に相当するもので、１又は複数のセルにより構成される。
【０００７】
各セルはＳＩＢなどを用いて、自セルが属するトラッキングエリアの識別子（TAI: Tracking Area Identity）を報知する。ＴＡＩは移動通信システム識別子（PLMN識別子）とトラッキングエリアコード（TAC）で構成される。待ち受け中の移動局装置は、在圏するトラッキングエリアに対して位置登録している。移動局装置は、現在位置登録しているトラッキングエリアのＴＡＩを記憶しており、セルを移動するに伴い、報知されているＴＡＩを受信してトラッキングエリアに変化がないかを確認する。例えば、移動局装置が隣のセルに移動し、そこで報知されているＴＡＩが、自移動局装置において現在登録されているＴＡＩと異なる場合には、前記移動局装置はネットワークにアクセスし、位置登録の更新を行う。この位置登録の更新をトラッキングエリアアップデート（TAU: Tracking Area Update）という。ＴＡＵを行うためには、移動局装置が無線通信によって在圏するセルにアクセスする必要があるため、頻度が多いと待ち受け中であるにも関わらずバッテリを消耗してしまう。ＴＡＵの負荷を削減するためには、トラッキングエリアを大きく設定する（トラッキングエリアを構成するセルの数を増やす）ことが望ましい。
【０００８】
待ち受け中の移動局装置に対して着信が発生した場合、ネットワークは該移動局装置が位置登録されているトラッキングエリアを構成する全セルで一斉呼び出し（ページング）を行う。移動局装置は、ページングによって呼び出された場合、在圏するセルにアクセスし、呼が確立される。
【０００９】
また、上記無線通信システムにおいて、フェムトセルや家庭用基地局（HeNB: Home eNB）と呼ばれる通信エリアの狭いセルを構成する小型の基地局や、通信エリア拡充のために基地局装置から受信した無線信号を再送信するリレー局の導入なども検討されている。（非特許文献２）
上記の特に小型基地局は、構成するセルのエリア内に移動局装置がまったく存在しない状況も想定されるため、消費電力低減のために無線送信を停止するなどの省電力モードに移行することが提案されている。（特許文献１）
【００１０】
特許文献１では、省電力モードへ移行するために、基地局が構成するセルのエリア内に存在する可能性のある移動局装置（該セルと同一のＴＡＩに登録されているすべての移動局装置）に対して呼び出しを行い、その応答の有無によって、省電力モードに移行するか否かを決定する手法が提案されている。
【先行技術文献】
【特許文献】
【００１１】
【特許文献１】特開２００９−１８２６１９
【非特許文献】
【００１２】
【非特許文献１】3GPP TR36.913,Requirements for Further Advancements for E-UTRA.V8.0.0http://www.3gpp.org/ftp/Specs/html-info/36913.htm
【非特許文献２】3GPP TR36.814,Further Advancements for E-UTRA Physical Layer Aspects(Release 9).V1.1.1http://www.3gpp.org/ftp/Specs/html-info/36814.htm
【発明の概要】
【発明が解決しようとする課題】
【００１３】
前記特許文献１では、基地局装置が無線信号送信を停止する際に、当該基地局装置のセル内に存在する可能性のある移動局装置すべてに対して無線通信を試行し（移動局装置の呼び出しを行い）、応答がない場合に無線信号送信を停止することが提案されている。しかしながら、トラッキングエリアが複数のセルで構成されている場合などには存在する可能性のある移動局装置は膨大な数になる可能性があり、呼び出しのために必要な無線リソースや電力に無駄が生じてしまう。すなわち、順次移動局装置に無線通信を試みる場合には、呼び出しに応答する移動局装置が見つかるまで（最悪の場合で最後の１台まで）呼び出し処理を行う必要がある。さらに前記応答がある場合には、再度無線信号送信を行いたい場合には移動局装置の呼び出しを最初からやり直す必要がある。
【００１４】
本発明は上記問題点に鑑み、基地局装置が、サービスエリア内に存在する移動局装置を効率的に把握できるようにすることで、通信リソースの利用効率の劣化や、基地局装置での処理の増大という問題を回避して消費電力低減を図ることができる無線通信システム、基地局装置、移動局装置および通信方法を提供することを目的としている。
【課題を解決するための手段】
【００１５】
（１）この発明は上述した課題を解決するためになされたもので、本発明の一態様によるアクセスゲートウェイは、基地局装置を制御するアクセスゲートウェイであって、省電力モード移行に関する信号を生成する信号処理部と、前記省電力モード移行に関する信号を前記基地局装置に対して送信するネットワークインターフェースとを具備し、前記省電力モード移行に関する信号は、省電力モードへの移行指示、または移動局装置にランダムアクセス手順を実行させる信号の報知指示の何れかを選択することを特徴とする。
【００１６】
（２）本発明の一態様による基地局装置は、アクセスゲートウェイに制御される基地局装置であって、前記アクセスゲートウェイから移動局装置にランダムアクセス手順を実行させる信号の報知指示を受信した場合に、移動局装置に対してランダムアクセス手順を実行させる報知信号を生成する送信信号処理部と、前記報知信号を送信する送信部と、前記移動局装置からのランダムアクセス手順を管理するランダムアクセス処理部とを具備し、前記報知信号に対してランダムアクセス手順を実行する移動局装置が存在しない場合に省電力モードに移行することを特徴とする。
【００１７】
（３）本発明の一態様による移動局装置は、上述の基地局装置と通信する移動局装置であって、前記ランダムアクセス手順を実行させる報知信号を受信した場合に、ランダムアクセス手順を実行することを特徴とする。
【００１８】
（４）本発明の一態様による無線通信システムは、上述のアクセスゲートウェイと、基地局装置と、移動局装置とを備えることを特徴とする。
【００１９】
（５）本発明の一態様によるアクセスゲートウェイは、基地局装置を制御するアクセスゲートウェイであって、省電力モード移行に関する信号を生成する信号処理部と、前記省電力モード移行に関する信号を前記基地局装置に対して送信するネットワークインターフェースとを具備し、前記省電力モード移行に関する信号は、省電力モードへの移行指示、またはトラッキングエリアの識別子を第１の識別子から第２の識別子へ変更する指示、の何れかを選択することを特徴とする。
【００２０】
（６）また、本発明の一態様によるアクセスゲートウェイは上述のアクセスゲートウェイであって、前記第２の識別子は隣接するセルの識別と異なることを特徴とする。
【００２１】
（７）また、本発明の一態様によるアクセスゲートウェイは上述のアクセスゲートウェイであって、前記基地局装置のトラッキングエリアの識別子を前記第２の識別子に変更し、既定時間経過以降に前記第２の識別子に登録されている移動局装置が存在しない場合に、前記基地局装置に省電力モード移行指示を通知することを特徴とする。
【００２２】
（８）また、本発明の一態様によるアクセスゲートウェイは上述のアクセスゲートウェイであって、省電力モード移行後に第２の識別子から第１の識別子に戻すことを特徴とする。
【００２３】
（９）本発明の一態様による通信方法は、アクセスゲートウェイと基地局装置を含む無線通信システムの通信方法であって、前記基地局装置において、前記アクセスゲートウェイから移動局装置にランダムアクセス手順を実行させる信号の報知指示を受信した場合に、移動局装置に対してランダムアクセス手順を実行させる報知信号を生成するステップと、前記報知信号を送信するステップと、前記報知信号に対してランダムアクセス手順を実行する移動局装置が存在しない場合に省電力モードに移行するステップとを少なくとも含むことを特徴とする。
【００２４】
（１０）本発明の一態様による通信方法は、アクセスゲートウェイと基地局装置を含む無線通信システムの通信方法であって、前記アクセスゲートウェイにおいて、省電力モード移行に関する信号を生成するステップと、前記省電力モード移行に関する信号を前記基地局装置に対して送信するステップと、前記省電力モード移行に関する信号として、省電力モードへの移行指示、またはトラッキングエリアの識別子を第１の識別子から第２の識別子へ変更する指示、の何れかを選択するステップと、を少なくとも含むことを特徴とする。
【発明の効果】
【００２５】
本発明によれば、基地局装置が、サービスエリア内に存在する移動局装置を効率的に把握できるようにすることで、通信リソースの利用効率の劣化や、基地局装置での処理の増大という問題を回避して消費電力低減を図ることができる無線通信システム、基地局装置、移動局装置および通信方法を提供することが可能となる。
【図面の簡単な説明】
【００２６】
【図１】本発明における無線通信システムの概略構成の一例を示す図である。
【図２】Ｃｏｎｔｅｎｔｉｏｎ  ｂａｓｅｄ  Ｒａｎｄｏｍ  Ａｃｃｅｓｓのランダムアクセス手順を示したシーケンスチャートである。
【図３】本発明の実施の形態１における基地局装置の一例を示すブロック図である。
【図４】本発明の実施の形態１における移動局装置の一例を示すブロック図である。
【図５】本発明の実施の形態１におけるアクセスゲートウェイの一例を示すブロック図である。
【図６】本発明の実施の形態１における省電力モードへの移行手順を示したシーケンスチャートである。
【図７】本発明の実施の形態２における基地局装置の一例を示すブロック図である。
【図８】本発明の実施の形態２における省電力モードへの移行手順を示したシーケンスチャートである。
【図９】本発明の実施の形態３における省電力モードへの移行手順を示したシーケンスチャートである。
【図１０】ＥＵＴＲＡにおける下りリンクの無線フレームの構成の一例を示す図である。
【発明を実施するための形態】
【００２７】
まず、各実施の形態の具体的な説明に入る前に、本発明で用いられる通信技術の概要について簡単に説明する。
【００２８】
（１）無線通信システム
本発明に係る無線通信システムについて、図１を参照して説明する。以降の説明では無線通信システムとしてＥＵＴＲＡおよびＡ−ＥＵＴＲＡを想定しているが、これに限定されるものではない。
【００２９】
前記移動通信システムは、基地局装置と、移動局装置とを備えており、図１は、基地局装置Ｎａ、Ｎｂ、Ｎｃ、移動局装置Ｕａ、Ｕｂ、Ｕｃ、Ｕｄが配置されていることを示す図である。ここで、基地局装置Ｎａが構成するセルをＣａ１、Ｃａ２、Ｃａ３、基地局装置Ｎｂが構成するセルをＮｂ１、Ｎｂ２、Ｎｂ３、基地局装置Ｎｃが構成するセルをＣｃ１と仮定する。
【００３０】
前記移動通信システムのコアネットワーク１００には、アクセスゲートウェイ（aGW: access Gateway）１０２が備えられている。ここではコアネットワークに備える場合の実施形態を説明するが、その他のネットワークに備えてもよい。また、該アクセスゲートウェイ装置を制御プレーン（C-Plane）及びユーザープレーン（U-Plane）の論理エンティティに分け、それぞれをＭＭＥ（Mobility Management Entity）、ＵＰＥ（User Plane Entity）とする場合もある。また、コアネットワーク１００上にアクセスゲートウェイ装置が複数ある場合には、ホームロケーションレジスタ（HLR: Home Location Register）１０１が備えられる。ＨＬＲ１０１には、移動局装置がどのアクセスゲートウェイ装置の下で管理されているかを示す情報が保持される。
【００３１】
本発明の各実施形態においては、セルＣａ１、Ｃａ２、Ｃａ３でひとつのトラッキングエリア（ＴＡ１）が構成され、セルＣｂ１、Ｃｂ２、Ｃｂ３、Ｃｃ１でひとつのトラッキングエリア（ＴＡ２）が構成されている場合について説明する。
【００３２】
（２）移動局装置への着信
ここでは、さらに待ち受け中の移動局装置への着信がある場合の手順を説明する。
アクセスゲートウェイ１０２は、各移動局装置がそれぞれ位置登録したトラッキングエリアの情報を保持している。例えば待ち受け中の移動局装置Ｎｄに対して着信があった場合（着呼の場合）、アクセスゲートウェイ１０２は、移動局装置Ｎｄが登録されているトラッキングエリアを特定し、該トラッキングエリア（ここではＴＡ２とする）を構成する全てのセル（セルＣｂ１、Ｃｂ２、Ｃｂ３、Ｃｃ１）でページングを送信するよう該セルを構成する各基地局装置（Ｎｂ、Ｎｃ）を制御する。すなわち、ネットワーク側では、移動局装置が待ち受け中である場合には、該移動局装置との間のコネクションがない状態であるため、移動局装置Ｎｄが在圏するセルを特定することができない。このため、ネットワークは、該移動局装置が位置登録したトラッキングエリアに属する全てのセルで、ページングを送信する必要がある。
【００３３】
基地局装置Ｎｂと基地局装置Ｎｃでは、アクセスゲートウェイ１０２から受信したページングを、前記基地局が構成する各セルにおいて移動局装置に対して報知する。ページングを受信した移動局装置Ｎｄは、自局の識別子（ＩＭＳＩやＴＭＳＩなど）が該ページングに含まれているか否かを判断し、含まれている場合には、在圏するセル（図１ではＣｂ３）に対して後述するランダムアクセス手順を実行して接続し、データの受信を開始する。
【００３４】
（３）ランダムアクセス手順
ランダムアクセスには、Ｃｏｎｔｅｎｔｉｏｎ  ｂａｓｅｄ  Ｒａｎｄｏｍ  ＡｃｃｅｓｓとＮｏｎ−ｃｏｎｔｅｎｔｉｏｎ  ｂａｓｅｄ  Ｒａｎｄｏｍ  Ａｃｃｅｓｓの２つのアクセス方法がある。Ｃｏｎｔｅｎｔｉｏｎ  ｂａｓｅｄ  Ｒａｎｄｏｍ  Ａｃｃｅｓｓは、移動局装置間で衝突する可能性のあるランダムアクセスであり、接続処理時に通常行われるランダムアクセスである。また、Ｎｏｎ−ｃｏｎｔｅｎｔｉｏｎ  ｂａｓｅｄ  Ｒａｎｄｏｍ  Ａｃｃｅｓｓは、移動局装置間で衝突が発生しないランダムアクセスであり、迅速に移動局装置−基地局装置間の同期をとるために用いられるランダムアクセスであり、ハンドオーバー等の特別な場合に基地局装置主導で行われる。
【００３５】
Ｃｏｎｔｅｎｔｉｏｎ  ｂａｓｅｄ  Ｒａｎｄｏｍ  Ａｃｃｅｓｓでは、上り同期を取る（上り同期タイミングを調整する）ためにランダムアクセスプリアンブル（単にプリアンブルとも呼ばれる）をランダムアクセスチャネルで送信する。プリアンブルには、情報を表す信号パターンであるシグネチャが含まれ、数十種類のシグネチャを用意して数ビットの情報を表現することができる。ＥＵＴＲＡでは、６ビットの情報を送信することが想定され、６４種類のシグネチャが用意されることが想定されている。６ビットの情報は、５ビットがランダムＩＤ、残りの１ビットが下りリンクのパスロスとランダムアクセス後に送信する上りデータ量に基づき決定される。
【００３６】
ここで、Ｃｏｎｔｅｎｔｉｏｎ  ｂａｓｅｄ  Ｒａｎｄｏｍ  Ａｃｃｅｓｓ及びＮｏｎ−Ｃｏｎｔｅｎｔｉｏｎ  ｂａｓｅｄ  Ｒａｎｄｏｍ  Ａｃｃｅｓｓの通信手順の概略について説明する。
【００３７】
図２は、Ｃｏｎｔｅｎｔｉｏｎ  ｂａｓｅｄ  Ｒａｎｄｏｍ  Ａｃｃｅｓｓの手順例について示したシーケンスチャートである。Ｃｏｎｔｅｎｔｉｏｎ  ｂａｓｅｄ  Ｒａｎｄｏｍ  Ａｃｃｅｓｓは、初期アクセス時、再接続時、Ｉｎｔｅｒ−ＲＡＴハンドオーバー時などに用いられる。
【００３８】
移動局装置は、ステップＳ１で基地局装置から報知情報を受信し、送信するシグネチャを選択するためのシグネチャ情報（ランダムアクセスチャネルの無線リソース情報、シグネチャのグループ情報など）を取得する。そして、ランダムアクセス要求が発生した場合（ステップＳ２）、シグネチャ情報に基づいてシグネチャを選択し、ランダムアクセスチャネルを用いて選択したプリアンブルを基地局装置へ送信する（ステップＳ３）。
【００３９】
基地局装置は、移動局装置からランダムアクセスチャネルを受信すると、送信されたプリアンブルから移動局装置と基地局装置間の上り同期タイミングずれ（Timing Advance）を算出し、ランダムアクセス応答（ランダムアクセスレスポンス）を送信するためにスケジューリングを行い、移動局装置に対して仮の識別子であるＴｅｍｐｏｒａｒｙ  Ｃ−ＲＮＴＩ（Cell-Radio Network Temporary Identity）を割り当て、ＰＤＣＣＨにプリアンブルを送信した移動局装置宛の応答を示す識別子であるＲＡ−ＲＮＴＩ（Random Access-Radio Network Temporary Identity）とＰＤＳＣＨのリソース割当て情報を配置し、ＰＤＳＣＨに上り同期タイミングずれ情報、上りスケジューリング情報、Ｔｅｍｐｏｌａｒｙ  Ｃ−ＲＮＴＩおよび受信したプリアンブルのシグネチャＩＤ番号（またはランダムＩＤ）を配置し、ランダムアクセス応答として前記ＰＤＣＣＨと前記ＰＤＳＣＨを送信する（ステップＳ４）。
【００４０】
移動局装置は、ＰＤＣＣＨにＲＡ−ＲＮＴＩがあることを確認すると、ＰＤＳＣＨに配置されたランダムアクセス応答の中身を確認し、送信したプリアンブルのシグネチャＩＤ番号（またはランダムＩＤ）が含まれる応答を抽出する。そして、上り同期タイミングずれを補正し、スケジューリングされた無線リソースでＴｅｍｐｏｌａｒｙ  Ｃ−ＲＮＴＩを含む上りスケジューリングデータを送信する（ステップＳ５）。なお、移動局装置は、基地局装置からのランダムアクセス応答を一定期間待ち続け、送信したプリアンブルのシグネチャＩＤ番号を含んだランダムアクセス応答を受信しない場合は、再度、プリアンブルを送信する。
【００４１】
基地局装置は、移動局装置からの上りスケジューリングデータを受信すると、受信した上りスケジューリングデータに含まれるＴｅｍｐｏｌａｒｙ  Ｃ−ＲＮＴＩを使用して移動局装置間で衝突が起こっているかどうかを移動局装置に判断させるための下りスケジューリングデータを移動局装置に送信する（ステップＳ６）。前記下りスケジューリングデータは、コンテンションレゾリューションとも呼ばれる。移動局装置は、下りスケジューリングデータを制限時間内に正しく受信することにより、ランダムアクセスが成功したと判断し、ランダムアクセス手順を終了する。そして、Ｔｅｍｐｏｌａｒｙ  Ｃ−ＲＮＴＩを一時的なものでなく、当該セルにおいて移動局装置を識別するための識別子（Ｃ−ＲＮＴＩ）として使用する。
【００４２】
一方、Ｎｏｎ−ｃｏｎｔｅｎｔｉｏｎｅｄ  ｂａｓｅｄ  Ｒａｎｄｏｍ  Ａｃｃｅｓｓでは、基地局装置がシグネチャＩＤ番号を選択して移動局装置に通知する。移動局装置は、通知されたシグネチャを使用し、ランダムアクセスチャネルでプリアンブルを送信する。
【００４３】
基地局装置は、移動局装置からのプリアンブルを受信すると、プリアンブルから移動局装置−基地局装置間の同期タイミングずれを算出し、ＰＤＣＣＨに、ランダムアクセスチャネルを送信した移動局装置宛の応答を示すためにＣ−ＲＮＴＩを配置し、同期タイミングずれ情報を含んだランダムアクセス応答を送信する。移動局装置は、受信したランダムアクセス応答から同期タイミングずれを補正し、ランダムアクセスが正しく完了したと判断する。
【００４４】
（４）トラッキングエリアアップデート（ＴＡＵ）
待ち受け中（アイドルモード）の移動局装置は、移動してトラッキングエリアが変化した場合や前回のＴＡＵから既定の時間が経過した場合にトラッキングエリアアップデートを行う。アイドル状態の移動局装置は、報知されているＴＡＩを受信し、自移動局装置の属するトラッキングエリアを把握することができる。例えば、移動局装置ＮｂがセルＣａ３から隣のセルＣｂ２に移動する場合、そこで報知されているＴＡＩ（ここではＴＡ２の識別子）が自移動局装置の保持していたＴＡＩ（ここではＴＡ１の識別子）と異なる場合、移動局装置ＮｂはセルＣｂ２において、前述のランダムアクセス手順でネットワークにアクセスし、アクセスゲートウェイに対して位置登録の更新を行う。更新により、移動局装置Ｎｂは新たに位置登録を行ったＴＡＩ（ここではＴＡ２の識別子）を記憶し、アクセスゲートウェイ１０２は、該移動局装置Ｎｂの識別子に対応付けられていたＴＡＩ（ＴＡ１の識別子）を破棄し、新たなＴＡＩ（ＴＡ２の識別子）と対応付けて記憶する。
【００４５】
さらに、セルは自セルのシステム情報（ＳＩＢの情報）が変更されるとページングを利用してセル内に報知する。待ち受け中（アイドル状態）の移動局装置は、在圏セルのシステム情報が変更されたことをページングの受信などにより検出すると、システム情報の再取得を行う。
以上の事項を考慮しつつ、以下、本発明の実施の形態について具体的に説明する。
【００４６】
［第１の実施形態］
以下、図３〜図６を参照して、本発明の第１の実施形態について説明する。
【００４７】
図３は、本発明の第１の実施形態による基地局装置３００の概略を示すブロック図である。基地局装置３００は、受信部３０１、受信信号処理部３０２、ランダムアクセス処理部３０３、上位レイヤ３０７、制御部３０６、送信信号処理部３０４、送信部３０５、受信アンテナＡＮ３１、送信アンテナＡＮ３２を具備する。図３において、基地局装置３００のその他の構成要素は本実施の形態に関係ないため省略してある。
【００４８】
上位レイヤ３０７は、送信に必要な制御信号を制御部３０６へ出力する。また、移動局装置向けのトラフィックデータや制御信号や報知情報（システム情報を含む）などの送信情報を送信信号処理部３０４へ出力する。送信信号処理部３０４は、制御部３０６から入力される送信制御信号に基づき、上位レイヤ３０７から入力されるデータを符号化および変調し、下り共用制御チャネルや同期チャネルや下りリンク参照信号とともに時間／周波数軸へ配置し、図１２に示すような無線フレームを生成する。送信信号処理部３０４で生成された無線フレームは送信部３０５に出力される。送信部３０５は、送信信号処理部３０４で生成された無線フレームを、制御部３０６から入力される送信制御信号に基づき、既定の周波数の搬送波にのせ電力増幅を行う。送信部３０５から出力された信号は送信アンテナＡＮ３２から送信される。
【００４９】
また、上位レイヤ３０７は、受信に必要な制御信号を制御部３０６へ出力する。受信アンテナＡＮ３１で受信された信号は、受信部３０１へ入力される。受信部３０１は、制御部３０６から入力される受信制御信号に基づき、移動局装置から受信した信号をベースバンドのデジタル信号に変換する。変換された信号は、受信信号処理部３０２へ入力されて、制御部３０６から入力される受信制御信号に基づいて復調および復号される。受信信号処理部３０２は、正しく復号された制御データやトラフィックデータを上位レイヤ３０７へ出力する。受信した信号が、移動局装置から送信されたランダムアクセスチャネル、または上り共用制御チャネル（PUCCH）で送信されたランダムアクセス応答に対するスケジューリングデータである場合、受信信号処理部３０２はランダムアクセスデータをランダムアクセス処理部３０３へ出力する。
【００５０】
ランダムアクセス処理部３０３では、ランダムアクセス手順が正しく実施されているかを判断し、その結果を上位レイヤ３０７へ出力する。上位レイヤ３０７はランダムアクセス処理部３０３の結果に基づいてランダムアクセス手順の継続の有無を判断する。
また、基地局装置３００は上位レイヤ３０７を通じて図１におけるアクセスゲートウェイ１０２との通信を行う。
【００５１】
図４は、本発明の第１の実施形態による移動局装置４００の概略を示すブロック図である。移動局装置４００は、受信部４０１、受信信号処理部４０２、カウンティング信号処理部４０３、上位レイヤ４０７、制御部４０６、送信信号処理部４０４、送信部４０５、受信アンテナＡＮ４１、送信アンテナＡＮ４２を具備する。図４において、移動局装置４００のその他の構成要素は本実施の形態に関係ないため省略してある。
【００５２】
上位レイヤ４０７は、送信に必要な制御信号を制御部４０６へ出力する。また、上りリンクのトラフィックデータなどの送信情報を送信信号処理部４０４へ出力する。送信信号処理部４０４は、制御部４０６から入力される送信制御信号に基づき、上位レイヤ４０７から入力されるデータを符号化および変調し、参照信号とともに上り送信信号を生成する。送信信号処理部４０４で生成された上り送信信号は送信部４０５に出力される。送信部４０５は、送信信号処理部４０４で生成された上り送信信号を、制御部４０６から入力される送信制御信号に基づき、既定の周波数の搬送波にのせ電力増幅を行う。送信部４０５から出力された信号は送信アンテナＡＮ４２から送信される。
【００５３】
また、上位レイヤ４０７は、受信に必要な制御信号を制御部４０６へ出力する。受信アンテナＡＮ４１で受信された信号は、受信部４０１へ入力される。受信部４０１は、制御部４０６から入力される受信制御信号に基づき、基地局装置から受信した信号をベースバンドのデジタル信号に変換する。変換された信号は、受信信号処理部４０２へ入力されて、制御部４０６から入力される受信制御信号に基づいて復調および復号される。受信信号処理部４０２は、正しく復号された制御データやトラフィックデータを上位レイヤ４０７へ出力する。
【００５４】
また、上位レイヤ４０７は、アクセスゲートウェイから省電力モード移行の指示を受けると、制御部４０６を通じて、各ブロックにおいて省電力モードで必要とされる機能以外の動作を停止する。例えば、送信部４０５を制御し、無線送信フレームのすべてあるいは一部の送信を停止する。
【００５５】
図５は、本発明の第１の実施形態によるアクセスゲートウェイ５００の概略を示すブロック図である。アクセスゲートウェイ５００は、ネットワークインターフェース５０１、信号処理部５０２、記憶部５０３を具備する。図５において、アクセスゲートウェイ５００のその他の構成要素は本実施の形態に関係ないため省略してある。また、本実施形態におけるアクセスゲートウェイの機能は、ＭＭＥに含まれてもよいし、制御の対象となる装置（ＨｅＮＢやリレー局装置など）に応じて、ＨｅＮＢ制御機能やリレー局制御機能やＯＡＭ（Operation Administration and Maintenance）機能を有する装置などに含まれてもよい。
【００５６】
ネットワークインターフェース５０１は、基地局装置やＨＬＲとの通信を行う。記憶部５０３は、基地局装置と該基地局装置のＴＡＩの対応および移動局装置と該移動局装置が登録されているＴＡＩとの対応が記憶されている。信号処理部５０２は記憶部５０３の対応づけに基づき、移動局装置の呼び出しのための基地局選択などを行う。また、信号処理部５０２は、記憶部５０３で記憶されているトラッキングエリアに移動局装置が存在しない場合に「省電力モード移行指示」信号を当該トラッキングエリアの基地局装置にネットワークインターフェース５０１を通して通知することができる。
【００５７】
次に本実施形態における省電力モードへの移行手法について図６のシーケンスチャートを用いて説明する。
【００５８】
まず基地局装置は自局の省電力モード移行の要求をアクセスゲートウェイに通知する（ステップＳ６１）。通知のタイミングは、移動局装置との通信が一定時間なかった場合や予め設定された時刻などが考えられる。
【００５９】
要求を受けたアクセスゲートウェイは、該基地局装置のトラッキングエリアに登録されている移動局装置を検索し、移動局装置の登録有無を調べる（ステップＳ６２）。移動局装置が登録されていない場合には「省電力モード移行指示」を基地局装置へ通知し、登録されている場合には「要調査」を基地局装置へ通知する（ステップＳ６３）。
【００６０】
ステップＳ６４において、基地局装置は「省電力モード移行指示」を受信した場合は省電力モードへ移行して「省電力モード移行完了」をアクセスゲートウェイに通知し（ステップＳ６５）シーケンスを終了する。「要調査」を受けた場合は報知情報としてカウンティング信号（ランダムアクセスを要求する信号）を無線送信する（ステップＳ６６）。前記カウンティング信号を受信した移動局装置はランダムアクセス手順を実行し、カウンティング応答を行う（ステップＳ６７）。カウンティング信号を報知した基地局装置は、既定時間内にランダムアクセスが行われたか否かを判定する（ステップＳ６８）。
【００６１】
既定時間内にランダムアクセスが行われなかった場合には、省電力モードへ移行し、「省電力モード移行完了」をアクセスゲートウェイに通知する。ランダムアクセスが行われた場合には「省電力モード移行失敗」を通知してシーケンスを終了する（ステップＳ６９）。
【００６２】
なお、アクセスゲートウェイにタイマーを具備し、ステップＳ６３の「要調査」送信から既定時間内に「省電力モード移行完了」を受信できない場合に「省電力モード移行失敗」とみなしてもよい。またはアクセスゲートウェイで基地局装置のモード（省電力モードか通常のモードか）を管理しない場合には、ステップＳ６５およびステップＳ６９を省略してもよい。さらに、ステップＳ６１を省略し、アクセスゲートウェイにてトラッキングエリア内の移動局装置の登録状態を監視し、登録数が０となった時点で基地局装置に省電力モード移行指示を通知してもよい。
【００６３】
本実施形態により、トラッキングエリア内の移動局装置の有無の判定を行い、移動局装置が存在する場合にのみランダムアクセスを要求するカウンティング信号を報知することで、移動局装置毎の呼び出しを行うことなく、待ち受け状態の移動局装置の有無を把握することが可能となる。
【００６４】
さらに、アクセスゲートウェイから移動局装置の識別子を取得して移動局装置を呼び出す方法と比較して、基地局装置からカウンティング信号を報知するのみで待ち受け状態の移動局装置の有無を把握できるため、ネットワークリソースを効率的に利用することが可能となる。
【００６５】
また、アクセスゲートウェイはトラッキングエリア単位で省電力モード移行可否の判断を行っているが、セル内に通信中の移動局装置がない場合に基地局装置から省電力モード移行の要求を行うことで、より高頻度に省電力モード移行の判断を行うことが可能となる。
【００６６】
［第２の実施形態］
前記第１の実施形態では、新たにカウンティング信号を導入することにより待ち受け状態の移動局装置の有無を把握したが、このカウンティング信号に対応していない従来の移動局装置には対応できない。そのため、本実施形態では、ＴＡＩの変更を行うことにより、従来の移動局装置が存在する通信システムに対応することが可能となり、さらには省電力モード移行において手順の効率化を図ることが可能であることを示す。
以下、図７〜図８を参照して、本発明の第２の実施形態について説明する。
【００６７】
図７は、本発明の第２の実施形態による基地局装置７００の概略を示すブロック図である。基地局装置７００は、受信部７０１、受信信号処理部７０２、ＴＡＩ保持部７０３、上位レイヤ７０７、制御部７０６、送信信号処理部７０４、送信部７０５、受信アンテナＡＮ７１、送信アンテナＡＮ７２を具備する。図７において、基地局装置７００のその他の構成要素は本実施の形態に関係ないため省略してある。
【００６８】
ＴＡＩ保持部７０３は、基地局装置７００のトラッキングエリアの識別子（ＴＡＩ）を保持する。上位レイヤ７０７は、送信に必要な制御信号を制御部７０６へ出力する。また、移動局装置向けのトラフィックデータや制御信号や報知情報（システム情報を含む）などの送信情報を送信信号処理部７０４へ出力する。この際、前記システム情報にはＴＡＩ保持部７０３で保持するＴＡＩの情報が含まれる。送信信号処理部７０４は、制御部７０６から入力される送信制御信号に基づき、上位レイヤ７０７から入力されるデータを符号化および変調し、下り共用制御チャネルや同期チャネルや下りリンク参照信号とともに時間／周波数軸へ配置し、図１２に示すような無線フレームを生成する。送信信号処理部７０４で生成された無線フレームは送信部７０５に出力される。送信部７０５は、送信信号処理部７０４で生成された無線フレームを、制御部７０６から入力される送信制御信号に基づき、既定の周波数の搬送波にのせ電力増幅を行う。送信部７０５から出力された信号は送信アンテナＡＮ７２から送信される。
【００６９】
また、上位レイヤ７０７は、受信に必要な制御信号を制御部７０６へ出力する。受信アンテナＡＮ７１で受信された信号は、受信部７０１へ入力される。受信部７０１は、制御部７０６から入力される受信制御信号に基づき、移動局装置から受信した信号をベースバンドのデジタル信号に変換する。変換された信号は、受信信号処理部７０２へ入力されて、制御部７０６から入力される受信制御信号に基づいて復調および復号される。受信信号処理部７０２は、正しく復号された制御データやトラフィックデータを上位レイヤ７０７へ出力する。また、基地局装置７００は上位レイヤ７０７を通じて図１におけるアクセスゲートウェイ１０２との通信を行い、移動局装置のＴＡＵなどを行う。
【００７０】
また、上位レイヤ７０７は、アクセスゲートウェイから省電力モード移行の指示を受けると、制御部７０６を通じて、各ブロックにおいて省電力モードで必要とされる機能以外の動作を停止する。例えば、送信部７０５を制御し、無線送信フレームのすべてあるいは一部の送信を停止する。
【００７１】
本実施形態における移動局装置は従来の移動局装置を用いるため説明を省略する。また、第１の実施形態の移動局装置４００と同じ構成であってもよい。
さらに本実施形態におけるアクセスゲートウェイは、第１の実施形態のアクセスゲートウェイ５００と同じ構成であるため説明を省略する。
【００７２】
次に本実施形態における省電力モードへの移行手法について図８のシーケンスチャートを用いて説明する。
【００７３】
まず基地局装置は自局の省電力モード移行の要求をアクセスゲートウェイに通知する（ステップＳ８０１）。通知のタイミングは、移動局装置との通信が一定時間なかった場合や予め設定された時刻などが考えられる。
【００７４】
要求を受けたアクセスゲートウェイは、該基地局装置のトラッキングエリアに登録されている移動局装置を検索し、移動局装置の登録有無を調べる（ステップＳ８０２）。移動局装置が登録されていない場合には「省電力モード移行指示」を基地局装置へ通知し、登録されている場合には、前記トラッキングエリアを構成する基地局装置が複数である場合には「ＴＡＩ変更」を新しいＴＡＩ情報とともに基地局装置へ通知し、複数でない場合には「省電力モード移行不可」を通知する（ステップＳ８０３）。また、アクセスゲートウェイは記憶部で保持する前記基地局装置のＴＡＩ情報を新しいＴＡＩ情報に更新する。この新しいＴＡＩは隣接する他のセルとは異なる識別子とする。
【００７５】
ステップＳ８０４において、基地局装置は「省電力モード移行指示」を受信した場合は省電力モードへ移行して「省電力モード移行完了」をアクセスゲートウェイに通知し（ステップＳ８０５）シーケンスを終了する。「省電力モード移行不可」を受信した場合はシーケンスを終了する。「ＴＡＩ変更」を受信した場合は、ＴＡＩ保持部で保持するＴＡＩを通知された新しいＴＡＩに更新する。基地局装置はＴＡＩが更新されるため、システム情報変更通知が移動局装置に対して報知される（ステップＳ８０６）。システム情報変更通知を受信した移動局装置は基地局装置から報知されるシステム情報を取得し、ＴＡＩが変更されたことを認識する（ステップＳ８０７）。ＴＡＩが変更されたため、移動局装置はランダムアクセス手順を実行し（ステップＳ８０８）、アクセスゲートウェイに対してトラッキングエリアアップデートを行う（Ｓ８０９）。アクセスゲートウェイはステップＳ８０３を実行してから既定の時間経過後、新しく設定したトラッキングエリアに移動局装置が登録されているか否かを判定する（ステップＳ８１０）。登録されていない場合には、基地局装置に対して「省電力モード移行指示」を通知し、登録されている場合には前記トラッキングエリアに登録される移動局装置数が０となった時点で「省電力モード移行指示」を通知する（ステップＳ８１１）。
「省電力モード移行指示」を受信した基地局装置は、省電力モードへ移行して（ステップＳ８１２）、「省電力モード移行完了」をアクセスゲートウェイに通知する（ステップＳ８１３）。
【００７６】
また、必要であれば、ステップＳ８１３につづき、アクセスゲートウェイから「ＴＡＩ変更」を基地局装置へ通知し、基地局装置のＴＡＩを変更前のＴＡＩに戻してもよい。
【００７７】
また、ステップＳ８０３において、当該基地局装置のトラッキングエリア内に一定以上の移動局装置が登録されている場合、トラッキングエリアを構成する基地局装置が複数である場合であっても、「省電力モード移行不可」を基地局装置に通知してもよい。これは、ＴＡＵを行う移動局装置が多くなることによるネットワーク負荷の増大を抑えることができるためである。
【００７８】
また、第１の実施形態と同様に、アクセスゲートウェイで基地局装置のモード（省電力モードか通常のモードか）を管理しない場合には、ステップＳ８０５およびステップＳ８１３を省略してもよい。また、ステップＳ８０１を省略し、アクセスゲートウェイにてトラッキングエリア内の移動局装置の登録状態を監視し、登録数が０となった時点で基地局装置に省電力モード移行指示を通知してもよい。
【００７９】
本実施形態により、従来の移動局装置に対してランダムアクセスを実施させることが可能となり、第１の実施形態と同様、移動局装置毎の呼び出しを行うことなく、待ち受け状態の移動局装置の有無を把握することが可能となる。
さらには、ＴＡＩを変更して隣接セルと異なるトラッキングエリアとすることで、セル内に待ち受け中の移動局装置が存在する場合であっても、該移動局装置のＴＡＵを監視することにより、基地局装置からセル内の移動局装置に対する新たなランダムアクセスの要求を行うことなく、前記セル内で待ち受け中の移動局装置の存在を確認することができる。
また、省電力モード移行後にＴＡＩを変更前のＴＡＩに戻すことにより、省電力モードから通常のモードに復帰した際に、隣接セルから移動してくる移動局装置による不必要なＴＡＵを防止することができ、移動局装置の省電力化を図ることができる。
【００８０】
［第３の実施形態］
前記第２の実施形態では、ＴＡＩの変更を行うことにより、セル内の移動局装置の有無を効率的に把握する方法について述べた。本実施形態では、ＴＡＩを用いる別の実施形態について説明を行う。
【００８１】
まず本実施形態における基地局装置および移動局装置およびアクセスゲートウェイは、第２の実施形態と同じブロック構成であるため、説明を省略する。
【００８２】
次に本実施形態における省電力モードへの移行手法について図９のシーケンスチャートを用いて説明する。
【００８３】
まずアクセスゲートウェイは、予め設定された日時であるかを判定し（ステップＳ９０１）、ＴＡＩ変更を行う日時であれば、基地局装置に対してＴＡＩ変更指示を通知する（ステップＳ９０２）。ここで予め設定された日時とは、例えばセル内の統計的な移動局装置数に基づいて設定される日時（年間/月間/週間/日毎/時間毎にアクセスした移動局装置数を集計し、統計的に既定の数を下回る日時）や事業者が手動で設定した日時である。
【００８４】
ステップＳ９０３において、基地局装置は、ＴＡＩ保持部で保持するＴＡＩを通知された新しいＴＡＩに更新する。基地局装置はＴＡＩが更新されるため、システム情報変更通知が移動局装置に対して報知される（ステップＳ９０４）。
基地局装置はＴＡＩ変更完了をアクセスゲートウェイに通知し（ステップＳ９０５）、アクセスゲートウェイは記憶部で保持する前記基地局装置のＴＡＩ情報を新しいＴＡＩ情報に更新する。
【００８５】
また、システム情報変更通知を受信した移動局装置は基地局装置から報知されるシステム情報を取得し、ＴＡＩが変更されたことを認識する（ステップＳ９０６）。ＴＡＩが変更されたため、移動局装置はランダムアクセス手順を実行し（ステップＳ９０７）、アクセスゲートウェイに対してトラッキングエリアアップデートを行う（Ｓ９０８）。
【００８６】
アクセスゲートウェイはステップＳ９０５から既定時間経過後に、移動局装置が登録されていないかを判定する（ステップＳ９０９）。移動局装置が登録されていない場合には、基地局装置に対して「省電力モード移行指示」を通知し、移動局装置が登録されている場合には前記トラッキングエリアに登録される移動局装置数が０となった時点で「省電力モード移行指示」を通知する（ステップＳ９１０）。「省電力モード移行指示」を受信した基地局装置は、省電力モードへ移行して（ステップＳ９１１）、「省電力モード移行完了」をアクセスゲートウェイに通知する（ステップＳ９１２）。
【００８７】
本実施形態により、予め省電力モードへの移行が予想される日時において、ＴＡＩを変更して隣接セルと異なるトラッキングエリアとしておくことで、第２の実施形態と同様に、セル内に待ち受け中の移動局装置が存在する場合であっても、該移動局装置のＴＡＵを監視することにより、基地局装置からセル内の移動局装置に対する新たなランダムアクセスの要求を行うことなく、前記セル内で待ち受け中の移動局装置の存在を確認することができる。
【００８８】
上記の各実施形態では、基地局装置の省電力モード移行の判定やＴＡＩの設定をアクセスゲートウェイが行っているが、他の装置に含まれてもよく、他の装置に含まれる場合にも、トラッキングエリアと基地局装置の対応情報および移動局装置とトラッキングエリアの対応づけ情報を取得し、各実施形態における基地局装置とのシーケンスを実行することで、同様の効果を得ることができる。また、各実施形態における基地局装置には、ＨｅＮＢやリレー局装置なども含まれる。
【００８９】
また上記の第２および第３の実施形態では、アクセスゲートウェイから基地局装置に対して新しいＴＡＩをＴＡＩ変更指示に含めて通知しているが、予め複数のＴＡＩを基地局装置に通知しておき、ＴＡＩ変更指示にはどのＴＡＩを選択するかを示す情報のみを通知してもよい。
【００９０】
なお、以上説明した実施形態は単なる例示に過ぎず、様々な変形例、置換例を用いて実現することができる。例えば本発明では省電力モード移行のための移動局数把握の手順を示したが、省電力モード移行判定だけではなく、基地局装置のメンテナンスのための電源断の判定や特定サービス（ブロードキャストサービスなど）実施の要／不要の判定に応用することも可能である。説明の便宜上、実施形態の移動局および基地局およびアクセスゲートウェイを機能的なブロック図を用いて説明したが、基地局装置および移動局装置およびアクセスゲートウェイの各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【００９１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００９２】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【００９３】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【００９４】
本発明は、無線通信システムやアクセスゲートウェイや基地局装置や移動局装置や通信方法に用いて好適である。
【符号の説明】
【００９５】
１００…コアネットワーク
１０１…ＨＬＲ
１０２、５００…アクセスゲートウェイ
３００、７００…基地局装置
４００…移動局装置
３０１、４０１、７０１…受信部
３０２、４０２、７０２…受信信号処理部
３０３…ランダムアクセス処理部
３０４、４０４、７０４…送信信号処理部
３０５、４０５、７０５…送信部
３０６、４０６、７０６…制御部
３０７、４０７、７０７…上位レイヤ
５０１…ネットワークインターフェース
５０２…信号処理部
５０３…記憶部
７０３…ＴＡＩ保持部
ＡＮ３１、ＡＮ４１、ＡＮ７１…受信アンテナ
ＡＮ３２、ＡＮ４２、ＡＮ７２…送信アンテナ
【図１】
2011171971.tif 000003
【図２】
2011171971.tif 000004
【図３】
2011171971.tif 000005
【図４】
2011171971.tif 000006
【図５】
2011171971.tif 000007
【図６】
2011171971.tif 000008
【図７】
2011171971.tif 000009
【図８】
2011171971.tif 000010
【図９】
2011171971.tif 000011
【図１０】
2011171971.tif 000012